(57)【要約】【課題】ＩＣタグの検知性を向上可能なＩＣタグホルダ及びＩＣタグ装置を提供する。【解決手段】ＩＣタグ１０のループアンテナを含む面が第１軸１２３に平行になるようにＩＣタグ１０を保持可能な保持部１１１を備える。各ユニット１１０，１２０，１３０を第１軸１２３及び第２軸１２４を中心として相対回転させることにより、第１ユニット１１０と第３ユニット１３０とが対向可能である。相対回転時に第１ユニット１１０において第３ユニット１３０と対向する第１対向部分１１２と、第３ユニット１３０において第１ユニット１１０と対向する第２対向部分１３１とに、第１ユニット１１０と第３ユニット１３０とを結合可能な凹部１１３と凸部１３２とが設けられる。靴３の甲部の靴紐３１を第１対向部分１１２と第２対向部分１３１とで挟むことにより、ＩＣタグホルダ１００は靴３の甲部に装着される。【選択図】図３
2015210668.tif 000002
【特許請求の範囲】
【請求項１】
靴の甲部に装着され、ＩＣタグを保持するＩＣタグホルダであって、
第１ユニット、第２ユニット、及び第３ユニットと、
前記第１ユニットと前記第２ユニットとを第１軸を中心として相対回転可能に連結する第１ヒンジ部と、
前記第２ユニットと前記第３ユニットとを前記第１軸に平行な第２軸を中心として相対回転可能に連結する第２ヒンジ部と、を備え、
前記第１ユニットは、前記ＩＣタグのループアンテナを含む面が前記第１軸に平行になるように前記ＩＣタグを保持可能な保持部を備え、
前記各ユニットを前記第１軸及び前記第２軸を中心として相対回転させることにより、前記第１ユニットと前記第３ユニットとが対向可能であり、
前記相対回転時に前記第１ユニットにおいて前記第３ユニットと対向する第１対向部分と、前記第３ユニットにおいて前記第１ユニットと対向する第２対向部分との少なくとも一方に、前記第１ユニットと前記第３ユニットとを結合可能な結合手段が設けられ、
前記靴の甲部の靴紐部を前記第１対向部分と前記第２対向部分とで挟むことにより、当該ＩＣタグホルダが前記靴の甲部の靴紐部に装着される、
ＩＣタグホルダ。
【請求項２】
前記結合手段は、
前記第１ユニットの前記第１対向部分と前記第３ユニットの前記第２対向部分とのいずれか一方の対向部分に、前記両回転軸に垂直な方向においてそれぞれ離間させて設けられた複数の凹部または複数の凸部と、
前記第１ユニットの前記第１対向部分と前記第３ユニットの前記第２対向部分との他方の対向部分に設けられ、前記一方の対向部分の各凹部と係合可能な凸部、または各凸部と係合可能な凹部と、を有する、
請求項１記載のＩＣタグホルダ。
【請求項３】
前記一方の対向部分の複数の凹部または複数の凸部は、前記両回転軸に垂直な方向において所定間隔で離間させて設けられ、
前記他方の対向部分の凸部または凹部は、前記両回転軸に垂直な方向において前記所定間隔で離間させて複数個設けられている、
請求項２記載のＩＣタグホルダ。
【請求項４】
前記一方の対向部分の凹部または凸部と前記他方の対向部分の凸部または凹部とを組み合わせて係合させた場合に、前記第１ユニットと前記第２ユニットとが前記第１軸を中心としてなす第１角度と、前記第２ユニットと前記第３ユニットとが前記第２軸を中心としてなす第２角度との和が、少なくとも２つの組み合わせにおいて異なるように、前記凹部の配置と、前記凸部の配置とのうちの少なくとも１つの要素が設定されている、
請求項２または請求項３に記載のＩＣタグホルダ。
【請求項５】
前記第１角度と前記第２角度との和がいずれの組み合わせにおいても異なるように、前記凹部の配置と、前記凸部の配置とのうちの少なくとも１つの要素が設定されている、
請求項４に記載のＩＣタグホルダ。
【請求項６】
前記凹部は貫通孔である、
請求項２から請求項５のいずれか１項に記載のＩＣタグホルダ。
【請求項７】
当該ＩＣタグホルダを構成する各部位は樹脂により一体成形される、
請求項１から請求項６のいずれか１項に記載のＩＣタグホルダ。
【請求項８】
前記結合手段は、
前記第１ユニットの前記第１対向部分及び前記第３ユニットの前記第２対向部分のそれぞれに設けられた、互いに結合可能な面ファスナまたはスナップボタンである、
請求項１記載のＩＣタグホルダ。
【請求項９】
前記結合手段は、
前記第１ユニットの前記第１対向部分と記第３ユニットの前記第２対向部分との少なくとも一方に設けられた、粘着部材である、
請求項１記載のＩＣタグホルダ。
【請求項１０】
請求項１から請求項９のいずれか１項に記載のＩＣタグホルダと、
前記保持部に保持されたＩＣタグと、
を備えた、
ＩＣタグ装置。
【発明の詳細な説明】
【技術分野】
【０００１】
本発明は、ＩＣタグを保持可能なＩＣタグホルダ、及びこれを備えたＩＣタグ装置に関する。
【背景技術】
【０００２】
走者のランニング時間等をＩＣタグを利用して計測可能なランニング計測システムが存在している。このランニング計測システムでは、スタート地点やゴール地点等に設けたアンテナを介してＩＣタグを検知する。
【０００３】
特許文献１は、走者が装着する靴にＩＣタグを配置する技術を開示している。特許文献１では、ＩＣタグは、靴の底部に内蔵され、あるいは靴の甲部にクリップ等を介して取り付けられる。
【先行技術文献】
【特許文献】
【０００４】
【特許文献１】特開２０００−２７５３３６号公報
【発明の概要】
【発明が解決しようとする課題】
【０００５】
本発明は、ＩＣタグを検知するシステムにおけるＩＣタグの検知性を向上可能なＩＣタグホルダ及びＩＣタグ装置を提供する。
【課題を解決するための手段】
【０００６】
本発明におけるＩＣタグホルダは、靴の甲部に装着され、ＩＣタグを保持する。ＩＣタグホルダは、第１ユニット、第２ユニット、及び第３ユニットと、第１ユニットと第２ユニットとを第１軸を中心として相対回転可能に連結する第１ヒンジ部と、第２ユニットと第３ユニットとを第１軸に平行な第２軸を中心として相対回転可能に連結する第２ヒンジ部と、を備える。第１ユニットは、ＩＣタグのループアンテナを含む面が第１軸に平行になるようにＩＣタグを保持可能な保持部を備える。ＩＣタグホルダは、各ユニットを第１軸及び第２軸を中心として相対回転させることにより、第１ユニットと第３ユニットとが対向可能であり、相対回転時に第１ユニットにおいて第３ユニットと対向する第１対向部分と、第３ユニットにおいて第１ユニットと対向する第２対向部分との少なくとも一方に、第１ユニットと第３ユニットとを結合可能な結合手段が設けられる。靴の甲部の靴紐部を第１対向部分と第２対向部分とで挟むことにより、ＩＣタグホルダは靴の甲部の靴紐部に装着される。
【０００７】
本発明におけるＩＣタグ装置は、上記ＩＣタグホルダと、保持部に保持されたＩＣタグと、を備える。
【発明の効果】
【０００８】
本発明によれば、ＩＣタグを検知するシステムにおけるＩＣタグの検知性を向上させることができる。
【図面の簡単な説明】
【０００９】
【図１】実施形態１のＩＣタグ装置を使用した計測システムの概要を示す図
【図２】実施形態１の計測装置のアンテナマットが発生する磁界を示す説明図
【図３】実施形態１のＩＣタグ装置の構成を示す平面図
【図４】実施形態１に係る靴に装着したＩＣタグ装置を示す側面図
【図５】実施形態１のＩＣタグ装置の靴への装着手順を説明する斜視図
【図６】実施形態１のＩＣタグ装置の取り付け状態を示す断面図
【図７】実施形態２のＩＣタグ装置の構成を示す平面図
【図８】実施形態３のＩＣタグ装置の構成を示す平面図
【図９】実施形態４のＩＣタグ装置の構成を示す平面図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって特許請求の範囲に記載の主題を限定することを意図するものではない。
【００１２】
（発明の背景）
従来のランニング計測システムでは、例えばスタート地点やゴール地点にゲートを設け、当該ゲートにアンテナを配置し、当該アンテナを介してＩＣタグを検知する。
【００１３】
本出願人は、新たなランニング計測システムとして、ゴール地点等の地面にマット状のアンテナ装置を配置したシステムを提案している。このシステムによれば、ゲート等の設備を設ける必要がなくなる。
【００１４】
具体的に、本出願人が提案するマット状のアンテナ装置は、ループアンテナを有しており、ゴール地点の地面に配置された状態において、ループアンテナを含む平面（以下、「ループアンテナ面」という）が地面に平行になるように構成されている。この構成においては、アンテナ装置のループアンテナから発生する磁束の方向は地面に対して概ね垂直となる。なお、ＩＣタグも無線信号の送受信等のためのループアンテナを有している。
【００１５】
このような構成においては、地面に配置されたアンテナ装置のループアンテナ面とＩＣタグのループアンテナ面とが平行で、かつループアンテナ面に垂直な方向から見て両ループアンテナのループ中心が一致する場合に、一方のループアンテナで発生した磁束が他方のループアンテナと最も多く鎖交することとなる。そして、この状態のときに、ランニング計測システムにおける検知性が最も良好となる。
【００１６】
特許文献１は、前述のように、（１）ＩＣタグを靴の底部に内蔵し、あるいは（２）靴の甲部にクリップを介して取り付ける技術を開示している。しかし、これらの技術では以下の問題がある。
【００１７】
すなわち、（１）の場合、靴の使用時に、靴の底部に内蔵されたＩＣタグに走者の脚部から衝撃が加わる。そのため、ＩＣタグの耐久性の点で問題がある。
【００１８】
また、（２）の場合、靴の甲部は一般に靴の底面に対して傾斜しているので、靴の甲部に装着されたＩＣタグのループアンテナ面が靴の底面に対して平行にならない。したがって、靴の底面が地面に接している状態において、ＩＣタグのループアンテナ面が地面に対して平行にならない。つまり、ＩＣタグのループアンテナ面がアンテナ装置のループアンテナ面と平行にならない。その結果、ランニング計測システムにおけるＩＣタグの検知性において課題がある。
【００１９】
本発明は、上記課題に鑑みてなされたもので、ランニング計測システムにおけるＩＣタグの検知性を向上可能なＩＣタグホルダ及びＩＣタグ装置を提供する。より具体的には、靴の甲部にＩＣタグを配置した場合に、ＩＣタグのループアンテナ面を、靴の底面が地面に接した状態において、靴の甲部の底面に対する傾きによらず、地面に対してできるだけ平行に設定可能なＩＣタグホルダ及びＩＣタグ装置を提供することを目的とする。
【００２０】
（実施形態１）
本発明の実施形態１を、図面を参照して説明する。
【００２１】
１．構成
１−１．計測システム
図１は、実施形態１のＩＣタグ装置１を使用したランニング計測システムの概要を示す図である。本計測システムは、走者の靴３に装着されたＩＣタグ装置１を検知し、走者の走行時間を計測する。計測システムは、ＩＣタグ装置１と、計測装置２とを含む。以下、計測装置２、ＩＣタグ装置１の順で説明する。
【００２２】
１−２．計測装置
計測装置２は、ＩＣタグ装置１と無線通信を行うための装置である。計測装置２は、アンテナマット２１と、計測部２２とを備える。
【００２３】
アンテナマット２１は、ループアンテナ２３を有する。アンテナマット２１は、例えばゴールラインＧＬ上に設置される。図２は、アンテナマット２１が発生する磁界を示す説明図である。アンテナマット２１は、ゴール地点の地面に配置された状態において、ループアンテナ面が地面に平行に、すなわち水平になるように設置されている。アンテナマット２１のループアンテナ２３から発生する磁束（磁力線２０）の方向は、地面に対して概ね垂直となる。
【００２４】
計測部２２は、アンテナマット２１を介して、ＩＣタグ装置１との間で無線信号を送受信する。計測装置２は、受信した無線信号や、受信した時間に基づいて、走者の走行時間等を取得する。
【００２５】
１−３．ＩＣタグ装置
１−３−１．ＩＣタグ装置の構成
図３は、ＩＣタグ装置１の構成を示す平面図である。ＩＣタグ装置１は、ＩＣタグ１０と、ＩＣタグ１０を保持するＩＣタグホルダ１００とを有する。
【００２６】
ＩＣタグ１０は、平板状の部材である。ＩＣタグ１０は、ループアンテナ１１と、制御回路１２とを備える。ループアンテナ１１は、平板状のＩＣタグ１０と同一平面上に配置されている。制御回路１２は、ループアンテナ１１を介して無線信号の送受信を行う。
【００２７】
ここで、図２に示すようにアンテナマット２１が発生する磁力線２０は地面に対して垂直である。そのため、ＩＣタグ１０のループアンテナ面が水平に近づくにつれて、ループアンテナ１１を通過する磁力線は増加する。よって、計測装置２によって効率良くＩＣタグ１０を検知するためには、ＩＣタグ１０のループアンテナ面を水平に向けることが望ましい。しかし、靴の甲部は傾いている。したがって、靴の甲部に固定したＩＣタグ１０のループアンテナ面は、水平にならない。さらに、ＩＣタグ１０を固定する靴３の甲部の傾き、つまり靴３の底面に対する甲部の角度は、装着対象の靴により異なる。そのため、ＩＣタグ１０のループアンテナ面の向きに、ばらつきが生じる。本実施形態では、このような課題に鑑み、靴の甲部の角度が異なる場合でも、ＩＣタグ１０のループアンテナ面を水平に向けることができるＩＣタグ装置１を開示する。以下、本実施形態に係るＩＣタグ装置１について、説明する。
【００２８】
図４は、靴３に装着したＩＣタグ装置１を示す側面図である。
【００２９】
図３及び図４に示すように、ＩＣタグホルダ１００は、略長方形の平板形状を有し、当該長方形の長手方向に沿って順に、第１ユニット１１０と、第１ヒンジ部１２１と、第２ユニット１２０と、第２ヒンジ部１２２と、第３ユニット１３０とを有する。
【００３０】
ＩＣタグホルダ１００の上記各部位は、可撓性を有する樹脂によって一体的に形成されている。以下、各部位の構成を詳述する。
【００３１】
第１ユニット１１０は、ＩＣタグ１０を内部に保持する保持部１１１を備える。例えば、保持部１１１には、ＩＣタグホルダ１００の端部からＩＣタグホルダ１００の厚み方向に垂直に切り込みが設けられている。切り込みの中にＩＣタグ１０が挿入され、切り込みの端部は接着剤で接着されている。保持部１１１の切り込みは、ＩＣタグ１０のループアンテナ面がＩＣタグホルダ１００の主面に平行になるように、形成されている。
【００３２】
第１ヒンジ部１２１は、第１ユニット１１０と第２ユニット１２０とを、第１軸１２３を中心として相対的に回転可能に連結している。具体的に、第１ヒンジ部１２１は、ＩＣタグホルダ１００の長手方向に直交する幅方向と平行な第１軸１２３に沿って、溝状に形成されている（図５参照）。第１ヒンジ部１２１の厚みは、第１ユニット１１０及び第２ユニット１２０よりも薄くされている。これにより、第１ヒンジ部１２１は各ユニット１１０，１２０よりも曲がりやすくなり、ヒンジとして機能可能となる。
【００３３】
第２ヒンジ部１２２は、第２ユニット１２０と第３ユニット１３０とを、第２軸１２４を中心として相対的に回転可能に連結している。具体的に、第２ヒンジ部１２２は、第１軸１２３と平行な第２軸１２４に沿って、溝状に形成されている（図５参照）。第２ヒンジ部１２２の厚みは、第２ユニット１２０及び第３ユニット１３０よりも薄くされている。これにより、第２ヒンジ部１２２は各ユニット１２０，１３０よりも曲がりやすくなり、ヒンジとして機能可能となる。
【００３４】
図４に示すように、各ユニット１１０，１２０，１３０を各ヒンジ部１２１，１２２の第１軸１２３及び第２軸１２４を中心として相対回転させることにより、第１ユニット１１０と第３ユニット１３０とを対向させることができる。ここで、第１ユニット１１０において第３ユニット１３０と対向する部分を、以下「第１対向部分１１２」と呼び、第３ユニット１３０において第１ユニット１１０と対向する部分を、以下「第２対向部分１３１」と呼ぶ。
【００３５】
図３に戻り、第１ユニット１１０の第１対向部分１１２には、２つの凹部１１３ａ，１１３ｂ（以下、適宜凹部１１３ａ，１１３ｂを総称して凹部１１３という）が設けられる。２つの凹部１１３ａ，１１３ｂは、ＩＣタグホルダ１００の長手方向に沿って、所定間隔で離間して設けられている。上記所定間隔は、例えば靴紐の幅と同じ間隔である。２つの凹部１１３ａ，１１３ｂは、本実施形態では、貫通孔である。各凹部１１３ａ，１１３ｂの形状は長方形である。ＩＣタグホルダ１００の幅方向に沿った各凹部１１３ａ，１１３ｂの長さは、ＩＣタグホルダ１００の長手方向に沿った各凹部１１３ａ，１１３ｂの長さよりも大きい。さらに、第１対向部分１１２には、凹部１１３ａ，１１３ｂの間において、凹部１１３の幅方向に沿って溝部１１４が設けられている（図５参照）。
【００３６】
第３ユニット１３０の第２対向部分１３１には、３つの凸部１３２ａ，１３２ｂ，１３２ｃ（以下、適宜凸部１３２ａ，１３２ｂ，１３２ｃを総称して凸部１３２という）が設けられている。３つの凸部１３２ａ，１３２ｂ，１３２ｃは、ＩＣタグホルダ１００の長手方向において、それぞれ２つの凹部１１３ａ，１１３ｂの間隔と等間隔で離間して設けられている。各凸部１３２ａ，１３２ｂ，１３２ｃの形状は長方形である。ＩＣタグホルダ１００の幅方向に沿った各凸部１３２ａ，１３２ｂ，１３２ｃの長さは、ＩＣタグホルダ１００の長手方向に沿った各凸部１３２ａ，１３２ｂ，１３２ｃの長さよりも大きい。凸部１３２ａ，１３２ｂ，１３２ｃ及び凹部１１３ａ，１１３ｂは、互いに係合可能な形状を有する。
【００３７】
第２ユニット１２０は、図４に示すように第１ユニット１１０と第３ユニット１３０とを相対回転させて対向させたとき、第１ユニット１１０と第３ユニット１３０との間に間隙を生じさせる。このとき、第１ユニット１１０と第２ユニット１２０とは第１軸１２３を中心に、上記相対回転の角度に応じた第１角度θ１をなし、第２ユニット１２０と第３ユニット１３０とは第２軸１２４を中心に、上記相対回転の角度に応じた第２角度θ２をなす。
【００３８】
本実施形態では、例えばＩＣタグホルダ１００の第３ユニット１３０の長手方向における凸部１３２の位置は、凸部１３２ｂ，１３２ｃと凹部１１３ａ，１１３ｂとを係合させたときの第２角度θ２が直角となる位置に、設定される。すると、凸部１３２ｂ，１３２ｃよりも第２ヒンジ部１２２に近い凸部１３２ａ，１３２ｂと凹部１１３ａ，１１３ｂとを係合させたとき、第２角度θ２は鈍角になる。これにより、凸部１３２ｂ，１３２ｃと凹部１１３ａ，１１３ｂとを係合させたときの第１ユニット１１０と第３ユニット１３０とのなす角度は、凸部１３２ａ，１３２ｂと凹部１１３ａ，１１３ｂとを係合させたときの第１ユニット１１０と第３ユニット１３０とのなす角度よりも大きくなる。
【００３９】
１−３−２．ＩＣタグ装置の靴への装着方法
ＩＣタグ装置１の靴３への装着方法を、図面を参照して説明する。図５は、ＩＣタグ装置１の靴３への装着手順を説明する斜視図である。図５（ａ）は、ＩＣタグ装置１を靴３に装着する途中の状態を示し、図５（ｂ）は、ＩＣタグ装置１を靴３に装着した状態を示す。
【００４０】
まず、図５（ａ）に示すように、ＩＣタグホルダ１００の第３ユニット１３０を靴３の甲部のつま先側から履き口側へ挿入し、靴紐３１と靴本体との間に第３ユニット１３０を挟む。このとき、靴３の靴紐３１が２つの凸部１３２の間に位置するように、第３ユニット１３０を靴紐３１と靴本体との間に挟む。これにより、第３ユニット１３０は靴３の甲部に固定される。また、２つの凸部１３２の間に靴３の靴紐３１が配置されることにより、靴３の甲部に対する第３ユニットの位置がずれにくくなり、ＩＣタグ装置１の位置を安定して定めることができる。
【００４１】
次に、図５（ｂ）に示すように、第１ユニット１１０及び第２ユニット１２０を、第１軸１２３及び第２軸１２４を中心に回転させて折り畳むことで、第１ユニット１１０と第３ユニット１３０とを対向させる。
【００４２】
次に、複数の凹部１１３及び凸部１３２のうち、靴３の底面に対してＩＣタグ１０のループアンテナ面を最も平行に近い状態に配置可能な凹部１１３と凸部１３２とを係合させる。これにより、靴３の甲部に対するＩＣタグ１０のループアンテナ面の角度が靴３の底面と略平行な状態で、ＩＣタグ装置１が靴３に装着される。このとき、２つの凸部１３２の間に配置した靴紐３１が第１対向部分１１２の溝部１１４に嵌まる。これにより、ＩＣタグ装置１の靴３への固定状態を安定させることができる。
【００４３】
このように、靴紐を第１対向部分１１２と第２対向部分１３１とで挟んで靴３の甲部の靴紐部に装着する構成により、ＩＣタグ装置１の靴３への脱着が容易となる。
【００４４】
図６は、靴の底面に対する甲部の傾き（以下、単に「甲部の傾き」という）が異なる靴に対するＩＣタグ装置１の取り付け状態を示す。具体的に、図６（ａ），（ｂ）は、異なる甲部の傾きを有する靴３Ａ，３ＢにＩＣタグ装置１が取り付けられた状態を示す。
【００４５】
靴３Ａの甲部の傾きは、靴３Ｂの甲部の傾きよりも小さい。このとき、第１ユニット１１０の凹部１１３ａ，１１３ｂと、第３ユニット１３０において、第２軸１２４に近い方の凸部１３２ａ，１３２ｂとを係合させることで、第１ユニット１１０の保持部１１１に保持されるＩＣタグ１０のループアンテナ面を靴３Ａの底面に対して略平行に固定できる。
【００４６】
一方、図６（ｂ）に示す靴３Ｂの甲部の傾きは、靴３Ａの甲部の傾きよりも大きい。このとき、第１ユニット１１０の凹部１１３ａ，１１３ｂと、第３ユニット１３０において、第２軸１２４から遠い方の凸部１３２ｂ，１３２ｃとを係合させる。すると、第１ユニット１１０と第３ユニット１３０とのなす角度βは、図６（ａ）の場合の角度αよりも大きくなる。そのため、ＩＣタグ装置１は、甲部の傾きが大きい靴３Ｂに対しても、ＩＣタグ１０のループアンテナ面を水平に向けて固定できる。
【００４７】
このように、ＩＣタグ装置１は、甲部の傾きが異なる靴３Ａ，３Ｂに対して、ＩＣタグ１０のループアンテナ面が靴３の底面に対して平行になるような凹部１１３ａ，１１３ｂ，１１３ｃ及び凸部１３２ａ，１３２ｂの組み合わせを選択して、ＩＣタグ１０を固定できる。
【００４８】
２．効果等
本実施形態において、ＩＣタグ装置１は、ＩＣタグホルダ１００と、保持部１１１に保持されたＩＣタグ１０とを備える。ＩＣタグホルダ１００は、靴３の甲部に装着され、ＩＣタグ１０を保持する。ＩＣタグホルダ１００は、第１ユニット１１０、第２ユニット１２０、及び第３ユニット１３０と、第１ユニット１１０と第２ユニット１２０とを第１軸１２３を中心として相対回転可能に連結する第１ヒンジ部１２１と、第２ユニット１２０と第３ユニット１３０とを第１軸１２３に平行な第２軸１２４を中心として相対回転可能に連結する第２ヒンジ部１２２とを備える。第１ユニット１１０は、ＩＣタグ１０のループアンテナ面が第１軸１２３に平行になるようにＩＣタグ１０を保持可能な保持部１１１を備える。ＩＣタグホルダ１００は、各ユニット１１０，１２０，１３０を第１軸１２３及び第２軸１２４を中心として相対回転させることにより、第１ユニット１１０と第３ユニット１３０とが対向可能である。上記相対回転時に第１ユニット１１０において第３ユニット１３０と対向する第１対向部分１１２と、第３ユニット１３０において第１ユニット１１０と対向する第２対向部分１３１とに、第１ユニット１１０と第３ユニット１３０とを結合可能な凹部１１３と凸部１３２とが設けられる。靴３の甲部の靴紐部を第１対向部分１１２と第２対向部分１３１とで挟むことにより、ＩＣタグホルダ１００は靴３の甲部に装着される。
【００４９】
本実施形態のＩＣタグ装置１によれば、靴３の甲部とＩＣタグ１０のループアンテナ面とのなす角度を、靴３の底面に対して平行になるように調整することができる。これにより、無線通信におけるＩＣタグ１０の検知性を向上できる。
【００５０】
また、本実施形態のＩＣタグ装置１は、靴３の甲部の靴紐部を第１対向部分１１２と第２対向部分１３１とで挟むだけで靴３の甲部に装着可能となる。従って、靴３への脱着が容易となる。
【００５１】
本実施形態において、ＩＣタグホルダ１００は、結合手段として、第３ユニット１３０の第２対向部分１３１に、両回転軸１２３，１２４に垂直な方向において所定間隔で離間させて設けられた複数の凸部１３２ａ，１３２ｂ，１３２ｃと、第１ユニット１１０の第１対向部分１１２に設けられ、第２対向部分１３１の各凸部１３２ａ，１３２ｂ，１３２ｃと係合可能な複数の凹部１１３ａ，１１３ｂと、を有する。このＩＣタグホルダ１００によれば、複数の凸部１３２ａ，１３２ｂ，１３２ｃと凹部１１３ａ，１１３ｂとを選択的に結合させることで、靴３の甲部に対するＩＣタグ１０のループアンテナ面の角度を容易に調整できる。本実施形態においては、凹部１１３ａ，１１３ｂと凸部１３２ａ，１３２ｂとの組み合わせ、及び凹部１１３ａ，１１３ｂと凸部１３２ｂ，１３２ｃとの組み合わせで第１ユニット１１０と第３ユニット１３０とを結合でき、二段階で調整可能できる。なお、第１ユニット１１０と第３ユニットのいずれか一方の凹部１１３又は凸部１３２は、一個だけでもよい。この場合でも、靴３の甲部とＩＣタグ１０のループアンテナ面とのなす角度を、靴３の底面に対して平行になるように調整可能である。
【００５２】
本実施形態において、２つの凹部１１３ａ，１１３ｂの間隔と、３つの凸部１３２ａ，１３２ｂ，１３２ｃのうちで隣り合う２つの間隔とは、等間隔である。そのため、２つの凹部１１３ａ，１１３ｂと、３つの凸部１３２ａ，１３２ｂ，１３２ｃのうちで隣り合う２つとを係合させることができる。
【００５３】
本実施形態において、第２対向部分１３１の凸部１３２ａ，１３２ｂ，１３３ｃと第１対向部分１１２の凹部１１３ａ，１１３ｂとを組み合わせて係合させた場合に、第１ユニット１１０と第２ユニット１２０とが第１軸１２３を中心としてなす第１角度θ１と、第２ユニット１２０と第３ユニット１３０とが第２軸１２４を中心としてなす第２角度θ２との和がいずれの組み合わせにおいても異なるように、凸部１３２の配置が設定されている。例えば、ＩＣタグホルダ１００の長手方向における凸部１３２の位置は、凸部１３２ｂ，１３２ｃに凹部１１３ａ，１１３ｂを係合させたときの第２角度θ２が直角となる位置に、設定されている。これにより、異なる組み合わせにおいて第１ユニット１１０の凹部１１３と第３ユニット１３０の凸部１３２とを結合したときに、全ての組み合わせにおいてＩＣタグ１０のループアンテナ面と靴３の甲部とのなす角度を異なる角度とすることができる。なお、第１角度θ１と第２角度θ２との和は、凹部１１３ａ，１１３ｂと凸部１３２ａ，１３２ｂ，１３３ｃとの組み合わせのうちで、全ての組み合わせでははく、少なくとも２つの組み合わせにおいて異ならせてもよい。
【００５４】
なお、凸部１３２は、上記所定間隔で４個以上設けられてもよい。これにより、ＩＣタグ１０のループアンテナ面と靴３の甲部とのなす角度の調整範囲が拡大する。
【００５５】
（実施形態２）
実施形態１においては、第２対向部分１３１に３つの凸部１３２ａ〜１３２ｃを等間隔で設けたが、図７に示すように、第２対向部分１３１において４つの凸部１３２ａ〜１３２ｄを設けてもよい。４つの凸部１３２ａ〜１３２ｄにおいて、２つの凸部１３２ａ，１３２ｂの間隔が２つの凹部１１３ａ，１１３ｂの間隔と等しく、２つの凸部１３２ｃ，１３２ｄの間隔が２つの凹部１１３ａ，１１３ｂの間隔と等しいが、２つの凸部１３２ｂ，１３２ｃの間隔は、２つの凹部１１３ａ，１１３ｂの間隔とは異なる。これにより、凹部１１３ａ，１１３ｂは、凸部１３２ａ，１３２ｂ、及び凸部１３２ｃ，１３２ｄに選択的に係合でき、そのためＩＣタグ１０の角度を調整できる。また、異なる組み合わせで凹部１１３と凸部１３２とを結合させたときの第１ユニット１１０と第３ユニット１３０とのなす角度を、２つの凹部１１３ａ，１１３ｂの間隔から独立して設定することができる。この場合、凸部１３２の個数は４個に限定されず、４個以上の偶数個であればよい。
【００５６】
（実施形態３）
実施形態１においては、第１対向部分１１２に凹部１１３を設け、第２対向部分１３１に凸部１３２を設けた。しかし、図８に示すように、第１対向部分１１２に凸部１１５を設け、第２対向部分１３１に、凸部１１５に係合する複数の凹部１３３を設けてもよい。
【００５７】
（実施形態４）
実施形態１においては、ＩＣタグホルダ１００の結合手段は、第３ユニット１３０の第２対向部分１３１に設けられた複数の凸部１３２と、第１ユニット１１０の第１対向部分１１２に設けられ、各凸部１３２と係合可能な凹部１１３と、を有した。しかし、図９に示すように、結合手段は、第１ユニット１１０の第１対向部分１１２に設けられた結合部材１１６と、第３ユニット１３０の第２対向部分１３１に設けられた結合部材１３４であってもよい。結合部材１１６，１３４は、互いに結合可能な面ファスナまたはスナップボタンであり、例えばマジックテープ（登録商標）である。また、結合手段は、第１ユニット１１０の第１対向部分１１２と第３ユニット１３０の第２対向部分１３１との少なくとも一方に設けられた粘着部材であってもよい。粘着部材は、例えば両面テープ、片面テープ、及び糊などである。
【００５８】
（他の実施形態）
上記各実施形態において、ＩＣタグホルダ１００は略長方形の平板形状を有するが、本発明はこれに限らない。ＩＣタグホルダの形状は、互いに平行な第１及び第２軸を中心として各ユニットを相対回転させることにより、第１ユニットと第３ユニットとが対向可能な形状であればよい。例えば、ＩＣタグホルダは、略長方形の幅方向に沿って順に、第１ユニットと、第１ヒンジ部と、第２ユニットと、第２ヒンジ部と、第３ユニット１３０とを有してもよい。また、ＩＣタグホルダは、略長方形の平板形状に代えてＬ字状の平板形状であってもよい。また、ＩＣタグホルダの形状は、上記平板形状に代えて、湾曲形状であってもよい。例えば、第３ユニットが靴の甲部の曲面に沿った表面形状を有してもよい。
【００５９】
上記各実施形態において、ＩＣタグホルダ１００の各部位は、可撓性を有する樹脂によって一体的に形成されているが、本発明はこれに限らない。各ヒンジ部と各ユニットとは別部材であってもよい。この場合、家具等において用いられるような構造の一般的なヒンジ部材であってもよい。
【００６０】
ＩＣタグホルダの各部位の素材は特に限定されず、例えば軟質樹脂、軟質樹脂より可撓性の低い硬質樹脂、布などの生地、若しくは軽金属、又はこれらの組み合わせであってもよい。例えば、各ユニットはそれぞれ硬質樹脂などの可撓性の低い芯部材を有し、各芯部材をまとめて一つの生地で覆ってＩＣタグホルダが構成されてもよい。
【００６１】
実施形態１〜３において、各ヒンジ部１２１，１２２は、それぞれ第１及び第２軸１２３、１２４に沿って溝状に形成されているが、当該溝の形状は特に限定されない。例えば、ＩＣタグホルダの一方の表面を第１及び第２軸に沿って窪ませた溝であってもよいし、ＩＣタグホルダの両面を第１及び第２軸に沿って窪ませた溝であってもよい。
【００６２】
実施形態１において、第１対向部分１１２には、凹部１１３の長手方向に沿って、凹部１１３ａ，１１３ｂの間に溝部１１４が設けられていたが、溝部１１４は設けられなくてもよい。
【００６３】
上記各実施形態では、ＩＣタグ１０はＩＣタグホルダ１００に埋め込まれている。しかし、ＩＣタグホルダとＩＣタグとを分離してもよい。ランニング計測システムにおいてＩＣタグ装置を使用するときには、ＩＣタグをＩＣタグホルダに装着する。第１ユニットの保持部は、ＩＣタグのループアンテナを含む面が第１軸に平行になるように、ＩＣタグを保持可能であればよい。例えば、保持部は、２枚の平板部材を有し、２枚の平板部材の間にＩＣタグホルダを挟み込んで固定する構成であってもよい。このとき、ＩＣタグ装置においてＩＣタグホルダからＩＣタグを取り出し可能であるので、ＩＣタグホルダは、ＩＣタグと分離して構成することができる。
【００６４】
実施形態１〜３において、凹部１１３は貫通孔であったが、凹部は貫通孔でなくてもよい。凹部１１３は凸部１３２と係合可能な形状であればよい。凹部１１３及び凸部１３２の形状は、長方形に限られず、例えば正方形、円形、楕円形などであってもよい。
【００６５】
実施形態１において、ＩＣタグホルダ１００の長手方向における凸部１３２ｂ，１３２ｃの位置は、凸部１３２ｂ，１３２ｃに凹部１１３ａ，１１３ｂを係合させたときに第２ユニット１２０と第３ユニット１３０とのなす第２角度が直角となる位置に設定されたが、第２角度が直角とならないように設定されてもよい。各対向部分１１２，１３１のうちの一方の凹部または凸部と、他方の凸部または凹部とを組み合わせて係合させた場合に、第１ユニット１１０と第２ユニット１２０とが第１軸１２３を中心としてなす第１角度と、第２ユニット１２０と第３ユニット１３０とが第２軸１２４を中心としてなす第２角度との和が、少なくとも２つの組み合わせにおいて異なるように、凹部の配置と、凸部の配置とのうちの少なくとも１つの要素が設定されていればよい。例えば、凸部１３２と凹部１１３との組み合わせにおいて第２角度が鋭角となる位置に、凹部１１３の位置が設定されてもよい。
【符号の説明】
【００６６】
１  ＩＣタグ装置
２  計測装置
３  靴
１０  ＩＣタグ
２０  磁力線
２１  アンテナマット
２２  計測部
２３  ループアンテナ
３１  靴紐
１００  ＩＣタグホルダ
１１０  第１ユニット
１１１  保持部
１１２  第１対向部分
１１３，１１３ａ，１１３ｂ  凹部
１１４  溝部
１１５，１１５ａ，１１５ｂ  凸部
１１６  結合部材
１２０  第２ユニット
１２１  第１ヒンジ部
１２２  第２ヒンジ部
１２３  第１軸
１２４  第２軸
１３０  第３ユニット
１３１  第２対向部分
１３２，１３２ａ，１３２ｂ，１３２ｃ，１３２ｄ  凸部
１３３，１３３ａ，１３３ｂ，１３３ｃ  凹部
１３４  結合部材
【図１】
2015210668.tif 000003
【図２】
2015210668.tif 000004
【図３】
2015210668.tif 000005
【図４】
2015210668.tif 000006
【図５】
2015210668.tif 000007
【図６】
2015210668.tif 000008
【図７】
2015210668.tif 000009
【図８】
2015210668.tif 000010
【図９】
2015210668.tif 000011